(57)【要約】【課題】コンテンツの二重利用を防止した上で電気通信回線を介したコンテンツの流通を可能とするコンテンツ利用管理システムを提供すること。【解決手段】このコンテンツ利用管理システム１０は、権利情報を順次発行する発行部１０１と、権利情報を、その設定されている所定期間に応じて携帯電話機２０に送信する送信部１０２と、コンテンツを第２のユーザに譲渡する譲渡指示情報を受け付ける譲渡受け付け部１０３と、当該譲渡指示情報の受け付けに応じて、携帯電話機２０への権利情報の送信を停止するように指示する送信停止情報を送信部１０２に出力する停止部１０４と、送信部１０２が携帯電話機２０に送信した最後の権利情報の所定期間の経過を検知する検知部１０５と、を備え、送信部１０２は当該経過の検知に応じて、第２のユーザが使用する携帯電話機３０に権利情報を送信する。【選択図】  図１
2005018162.tif 000002
【特許請求の範囲】
【請求項１】
ユーザが使用する情報通信端末においてコンテンツを利用することが可能な許諾期間以下の所定期間の間有効となるように設定され、前記情報通信端末で前記コンテンツを利用する際に用いられる権利情報を順次発行する発行手段と、
当該発行された権利情報を、その設定されている所定期間に応じて第１のユーザが使用する第１の情報通信端末に送信する送信手段と、
前記コンテンツを第２のユーザに譲渡する譲渡指示情報を受け付ける譲渡受け付け手段と、
当該譲渡指示情報の受け付けに応じて、前記第１の情報通信端末への前記権利情報の送信を停止するように指示する送信停止情報を前記送信手段に出力する停止手段と、
前記送信手段が前記第１の情報通信端末に送信した最後の権利情報の所定期間の経過を検知する検知手段と、
を備え、
前記送信手段は、当該経過の検知に応じて、前記第２のユーザが使用する第２の情報通信端末に前記権利情報を送信する、
コンテンツ利用管理システム。
【請求項２】
前記送信手段は、前記権利情報を、その設定されている所定期間に基づいて前記第２の情報通信端末に送信する、請求項１に記載のコンテンツ利用管理システム。
【請求項３】
第１のユーザが利用可能であるコンテンツを第２のユーザに譲渡する譲渡指示情報を受け付ける譲渡受け付け手段と、
当該譲渡指示情報の受け付けに応じて、前記第１のユーザが使用する第１の情報通信端末において前記コンテンツの利用を停止させるための利用停止情報を発行する第１発行手段と、
当該発行された利用停止情報を前記第１の情報通信端末に送信する第１送信手段と、
当該利用停止情報の送信に応じて前記第１の情報通信端末から送信される、前記コンテンツの利用停止処理が完了したことを示す停止完了通知を受信する受信手段と、
前記譲渡受け付け手段が受け付けた譲渡指示情報に基づいて、前記第２の情報通信端末においてコンテンツを利用する際に用いられる権利情報を発行する第２発行手段と、
前記停止完了通知の受信に応じて、前記第２発行手段が発行した権利情報を前記第２の情報通信端末に送信する第２送信手段と、
を備えるコンテンツ利用管理システム。
【発明の詳細な説明】
【０００１】
【発明の属する技術分野】
本発明は、コンテンツを利用する権利の譲渡を可能とするコンテンツ利用管理システムに関する。
【０００２】
【従来の技術】
コンテンツの不正使用防止や著作権保護の目的で、コンテンツの利用を許諾されたユーザに暗号化されたコンテンツを復号するための鍵情報を与え、その鍵情報の入力によって正当な利用者であることを認証し、暗号化されたコンテンツを復号して利用可能とするシステムがある（例えば、特許文献１参照。）。
【０００３】
【特許文献１】
特開２００１−７８２６６号公報
【０００４】
【発明が解決しようとする課題】
従来の技術において、コンテンツの利用を許諾された第１のユーザが、第２のユーザにコンテンツをその利用する権利と共に譲渡しようとする場合には、暗号化されたコンテンツと鍵情報とを譲渡することになる。コンテンツや鍵情報のように電子化された情報は複製が容易であるから、第１のユーザが第２のユーザに複製した情報を譲渡すれば、第１のユーザも引き続いてコンテンツの利用が可能になる。このようなコンテンツの二重利用の状態を解消するために上記特許文献１に記載の技術では、コンテンツと鍵情報とをメモリカードに記録し、そのメモリカードを譲渡する方法を採用している。しかしながら、コンテンツの流通促進の側面から考えれば、メモリカードのような記録媒体を介しての流通形態よりも電気通信回線を介しての流通形態の実現が望まれる。
【０００５】
そこで本発明は、コンテンツの二重利用を防止した上で電気通信回線を介したコンテンツの流通を可能とするコンテンツ利用管理システムを提供することを課題とする。
【０００６】
【課題を解決するための手段】
本発明のコンテンツ利用管理システムは、ユーザが使用する情報通信端末においてコンテンツを利用することが可能な許諾期間以下の所定期間の間有効となるように設定され、情報通信端末でコンテンツを利用する際に用いられる権利情報を順次発行する発行手段と、当該発行された権利情報を、その設定されている所定期間に応じて第１のユーザが使用する第１の情報通信端末に送信する送信手段と、コンテンツを第２のユーザに譲渡する譲渡指示情報を受け付ける譲渡受け付け手段と、当該譲渡指示情報の受け付けに応じて、第１の情報通信端末への権利情報の送信を停止するように指示する送信停止情報を送信手段に出力する停止手段と、送信手段が第１の情報通信端末に送信した最後の権利情報の所定期間の経過を検知する検知手段と、を備え、送信手段は当該経過の検知に応じて、第２のユーザが使用する第２の情報通信端末に権利情報を送信する。
【０００７】
本発明のコンテンツ利用管理システムによれば、所定期間の間有効となるように設定されている権利情報が第１の情報通信端末に送信されるので、第１の情報通信端末において権利情報に設定された所定期間の間コンテンツの利用が可能となる。コンテンツの譲渡を受け付けると、送信停止情報が送信手段に出力されるので、第１の情報通信端末への権利情報の送信が停止される。権利情報の送信が停止されると、第１の情報通信端末におけるコンテンツの利用は、最後に送信された権利情報に設定されている所定期間の経過を以って停止される。この経過の検知に応じて第２の情報通信通信端末へ権利情報が送信されるので、第２の情報通信通信端末におけるコンテンツの利用は、第１の情報通信端末でのコンテンツの利用が停止された後から可能となる。
【０００８】
また、本発明のコンテンツ利用管理システムでは、送信手段は、権利情報を、その設定されている所定期間に基づいて第２の情報通信端末に送信することも好ましい。権利情報がその設定されている所定期間に基づいて第２の情報通信端末に送信されるので、第２の情報通信端末においては権利情報の所定期間にあわせてコンテンツを利用することができる。
【０００９】
本発明のコンテンツ利用管理システムは、第１のユーザが利用可能であるコンテンツを第２のユーザに譲渡する譲渡指示情報を受け付ける譲渡受け付け手段と、当該譲渡指示情報の受け付けに応じて、第１のユーザが使用する第１の情報通信端末においてコンテンツの利用を停止させるための利用停止情報を発行する第１発行手段と、当該発行された利用停止情報を第１の情報通信端末に送信する第１送信手段と、当該利用停止情報の送信に応じて第１の情報通信端末から送信される、コンテンツの利用停止処理が完了したことを示す停止完了通知を受信する受信手段と、譲渡受け付け手段が受け付けた譲渡指示情報に基づいて、第２の情報通信端末においてコンテンツを利用する際に用いられる権利情報を発行する第２発行手段と、停止完了通知の受信に応じて、第２発行手段が発行した権利情報を第２の情報通信端末に送信する第２送信手段と、を備える。
【００１０】
本発明のコンテンツ利用管理システムによれば、コンテンツの譲渡を受け付けると、コンテンツの利用を停止させる利用停止情報が第１の情報通信端末へ送信されるので、第１の情報通信端末でのコンテンツの利用が停止される。コンテンツの利用が停止された第１の情報通信端末から送信される停止完了通知を受信するので、第１の情報通信端末上でのコンテンツの利用ができなくなったことを確認することができる。停止完了通知の受信に応じて第２の情報通信端末に権利情報を送信するので、第１の情報通信端末でのコンテンツの利用が停止された後から第２の情報通信端末上でコンテンツの利用が可能となる。
【００１１】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１２】
（第１実施形態）
本発明の第１実施形態であるコンテンツ利用管理システムについて説明する。図１は、本発明の第１実施形態であるコンテンツ利用管理システム１０の構成を示す図である。コンテンツ利用管理システム１０は、携帯電話機２０（第１の情報通信端末）及び携帯電話機３０（第２の情報通信端末）のそれぞれとネットワーク（図示しない）を介して情報通信可能なように接続されている。また、携帯電話機２０及び携帯電話機３０は、ネットワーク（図示しない）を介して相互に情報通信可能なように構成されている。
【００１３】
携帯電話機２０は第１のユーザが使用し、携帯電話機３０は第２のユーザが使用する携帯電話機であり、音声通話と共に情報通信も可能なように構成されている。携帯電話機２０及び携帯電話機３０は、物理的には、ＣＰＵ（中央処理装置）、メモリといった記憶装置、プッシュボタンといった入力装置、ディスプレイといった表示装置、通信装置等を有している。携帯電話機２０及び携帯電話機３０では、音楽や画像といった種々のコンテンツが利用可能なように構成されている。このコンテンツは、ネットワーク（図示しない）を介して取得する暗号化されたコンテンツであって、対応する権利情報を用いて復号することで携帯電話機２０及び携帯電話機３０において利用可能となる。本実施形態における権利情報は、所定期間の間有効となるように設定された情報である。従って、携帯電話機２０及び携帯電話機３０では、権利情報に設定された所定期間の有効期間内でのコンテンツの利用が可能となる。
【００１４】
次に、コンテンツ利用管理システム１０について説明する。コンテンツ利用管理システム１０は、物理的には、ＣＰＵ（中央処理装置）、メモリ、キーボードといった入力装置、ディスプレイといった表示装置、ハードディスクといった格納装置、モデムといった通信装置などを備えたコンピュータシステムとして構成されている。コンテンツ利用管理システム１０は機能的な構成要素として、発行部１０１（発行手段）と、送信部１０２（送信手段）と、譲渡受け付け部１０３（譲渡受け付け手段）と、停止部１０４（停止手段）と、検知部１０５（検知手段）と、ユーザ情報格納部１５０とを備えている。引き続いて、コンテンツ利用管理システム１０の各構成要素について詳細に説明する。
【００１５】
発行部１０１は、権利情報を順次発行する部分である。より具体的には、発行部１０１はユーザ情報格納部１５０に格納されているユーザ情報に基づいて権利情報を発行する。ここで、ユーザ情報格納部１５０に格納されているユーザ情報の例を図２（ａ）に示す。図２（ａ）に示す例に拠れば、ユーザ情報は、ユーザを特定するための「ユーザ識別子」、ユーザが利用できるコンテンツを特定するための「コンテンツ識別子」、コンテンツが利用され得る許諾期間の開始する日を表す「利用開始日」、コンテンツが利用され得る許諾期間の終了する日を表す「利用終了日」、権利情報の所定期間としての有効期間の長さを定める「所定期間長」を含む。「ユーザ識別子」が「０９０１２３４５６７８」であるユーザを例に取ると、このユーザが「コンテンツ識別子」が「ＬＨＤ１２３４５」であるコンテンツを利用できる許諾期間は、「２００３年１月１日」から「２００３年１月２８日」であり、その期間において発行される権利情報は、有効期間が「７日」となる。
【００１６】
発行部１０１は、各「コンテンツ識別子」ごとに「利用開始日」から「利用終了日」に渡って、有効期間が「所定期間長」である権利情報を順次発行する。例えば、「ユーザ識別子」が「０９０１２３４５６７８」であって「コンテンツ識別子」が「ＬＨＤ１２３４５」であるユーザを例に取ると、発行部１０１は図３に示すように、２００３年１月１日から１月７日までの有効期間の権利情報と、２００３年１月８日から１４日までの有効期間の権利情報と、２００３年１月１５日から１月２１日までの有効期間の権利情報と、２００３年１月２２日から２８日までの有効期間の権利情報とを順次発行する。これらの権利情報には共通して「ユーザ識別子」として「０９０１２３４５６７８」が含まれる。発行部１０１は、図３に示すように「ユーザ識別子」と「コンテンツ識別子」と「有効期間」とからなる権利情報を発行し、送信部１０２に出力する。また、発行部１０１は停止部１０４から送信停止情報（詳細は後述する）が出力されると権利情報の発行を停止する。発行部１０１が権利情報の発行を停止した後に、検知部１０５から期間経過情報（詳細は後述する）が出力されると権利情報の発行を再開する。この権利情報の発行を再開する場合に、送信部１０２から破棄した権利情報（詳細は後述する）が出力されていれば、発行部１０１はその破棄した権利情報の発行から再開する。
【００１７】
送信部１０２は、発行部１０１から出力された権利情報を、その設定されている有効期間に基づいて、携帯電話機２０へ送信する部分である。より具体的には、送信部１０２は各権利情報をそれぞれの有効期間の開始に間に合うように、各権利情報のユーザ識別子で特定される携帯電話機２０へ送信する。従って、送信部１０２は有効期間がそれぞれ連続して設定されている権利情報を、それぞれの有効期間の開始の前日に送信してもよく、いくつかの権利情報を取りまとめて送信してもよい。
【００１８】
送信部１０２は、停止部１０４から出力される送信停止情報を受け取ると、携帯電話機２０への権利情報の送信を停止する。また、送信部１０２は、停止部１０４から出力される送信停止情報を受け取ると、携帯電話機２０へ最後に送信した権利情報を検知部１０５へ出力する。また、送信部１０２は、停止部１０４から出力される送信停止情報を受け取った場合に、未送信の権利情報があればその未送信の権利情報を破棄すると共に、その破棄した権利情報の内容を発行部１０１に出力する。
【００１９】
譲渡受け付け部１０３は、コンテンツを第１のユーザから第２のユーザへ譲渡する譲渡指示情報を受け付ける部分である。本実施形態の場合は、携帯電話機２０から送信される譲渡指示情報をネットワークを介して受信することで受け付けを行う。譲渡指示情報を受け付ける方法はこれに限られるものではなく、携帯電話機２０とは異なるパーソナルコンピュータといった情報通信機器から送信される譲渡指示情報を受信することで行ってもよく、第１のユーザがコンテンツ提供者へ電話をして譲渡指示の意向を伝達し、コンテンツ提供者のオペレータが譲渡指示情報を入力してもよい。譲渡受け付け部１０３は譲渡指示情報を停止部１０４へ出力する。また、譲渡受け付け部１０３は、譲渡指示情報に基づいてユーザ情報格納部１５０に格納されている情報を更新する。例えば、「ユーザ識別子」が「０９０１２３４５６７８」であって「コンテンツ識別子」が「ＬＨＤ１２３４５」であるコンテンツを、「ユーザ識別子」が「０８０９８７６５４３２」であるユーザへ譲渡する旨の譲渡指示情報を受け取ると、譲渡受け付け部１０３は該当する情報の「ユーザ識別子」を「０８０９８７６５４３２」に書き換える（図２（ｂ）参照。）。
【００２０】
停止部１０４は、譲渡受け付け部１０３の譲渡指示情報の受け付けに応じて、携帯電話機２０への権利情報の送信を停止させるための送信停止情報を送信部１０２へ出力する部分である。停止部１０４は、送信停止情報を発行部１０１にも出力する。
【００２１】
検知部１０５は、送信部１０２が携帯電話機２０に送信した最後の権利情報の所定期間の経過を検知する部分である。より具体的には、検知部１０５は、送信部１０２が最後に送信した権利情報を受け取って、その権利情報の有効期間の終端を所定期間の経過時点であると認識する。検知部１０５はこの検知に応じて、権利情報の有効期間の終端を特定するための期間経過情報を発行部１０１及び送信部１０２に出力する。
【００２２】
続いて、コンテンツ利用管理システム１０の動作について説明する。図４は、コンテンツ利用管理システム１０の動作のシーケンスを示す図である。発行部１０１はユーザ情報格納部１５０に格納されているユーザ情報に基づいて権利情報を発行する（ステップＳ０１）。発行部１０１は、発行した権利情報を、送信部１０２へ出力する（ステップＳ０２）。送信部１０２は、権利情報それぞれの有効期間に基づいて送信時期が到来したか否かを判断する（ステップＳ０３）。送信部１０２は権利情報それぞれの送信時期に合わせて携帯電話機２０へ権利情報を送信する（ステップＳ０４）。携帯電話機２０では、送信された権利情報を用いて暗号化されたコンテンツが復号され、コンテンツの利用が可能となる（ステップＳ０５）。携帯電話機２０では、権利情報の有効期間を監視しており、それぞれの有効期間の満了までコンテンツの利用が可能となる。
【００２３】
携帯電話機２０を使用している第１のユーザがコンテンツを第２のユーザに譲渡しようとすると、第１のユーザは携帯電話機２０から譲渡指示情報をコンテンツ利用管理システム１０に送信する（ステップＳ０６）。譲渡受け付け部１０３は譲渡指示情報を受信して受け付けて、停止部１０４に譲渡指示情報を出力する（ステップＳ０７）。譲渡受け付け部１０３は譲渡指示情報に基づいて、ユーザ情報格納部１５０に格納されているユーザ情報を更新する（ステップＳ０８）。送信停止情報が出力されると、停止部１０４は送信部１０２及び発行部１０１へ送信停止情報を出力する（ステップＳ０９）。発行部１０１は、この送信停止情報の出力に応じて権利情報の発行を停止する。送信部１０２は、この送信停止情報の出力に応じて権利情報の送信を停止し、最後に送信した権利情報を検知部１０５へ出力する（ステップＳ１０）。携帯電話機２０では、送信されてくる権利情報の有効期間が経過しているかどうかを判断する（ステップＳ１１）。この有効期間が経過していなければコンテンツの利用は継続される。また、一の権利情報の有効期間が経過しても、他の権利情報の有効期間が経過していなければコンテンツの利用は継続される。全ての権利情報の有効期間が経過していれば、携帯電話機２０におけるコンテンツの利用は停止される（ステップＳ１２）。従って、本実施形態の場合には、最後に送信した権利情報の有効期間が経過した時点でコンテンツの利用が停止される。
【００２４】
検知部１０５は送信部１０２から出力される権利情報に基づいて、その権利情報の有効期間の終端を検知する（ステップＳ１３）。検知部１０５は、権利情報の有効期間の終端を特定するための期間経過情報を、発行部１０１及び送信部１０２に出力する（ステップＳ１４）。発行部１０１は、期間経過情報の出力に応じて、権利情報を発行する（ステップＳ１５）。この場合に、ユーザ情報格納部１５０に格納されているユーザ情報は譲渡指示が反映されているので、発行部１０１が発行する権利情報のユーザ識別子は譲渡後のユーザに対応するものとなる。送信部１０２は、発行部１０１が発行した権利情報を第２のユーザが使用する携帯電話機３０へ送信する（ステップＳ１６）。携帯電話機３０において、コンテンツは、ネットワークを介してコンテンツ提供者から取得される。権利情報が送信された第２の情報通信端末３０ではコンテンツの復号化が行われ、コンテンツの利用が可能となる（ステップＳ１７）。
【００２５】
本実施形態によれば、所定期間の間有効となるように設定されている権利情報が携帯電話機２０に送信されるので、携帯電話機２０において権利情報に設定された所定期間の間コンテンツの利用が可能である。コンテンツの譲渡が受け付けられると、送信停止情報が停止部１０４から送信部１０２に出力されるので、携帯電話機２０への権利情報の送信が停止される。権利情報の送信が停止されるので、携帯電話機２０におけるコンテンツの利用は、最後に送信された権利情報に設定されている所定期間の終了を以って停止される。携帯電話機２０へ最後に送信された権利情報から所定期間が検知され、検知に応じて携帯電話機３０へ権利情報が送信されるので、携帯電話機３０におけるコンテンツの利用は、携帯電話機２０でコンテンツの利用が停止された後から可能となる。
【００２６】
（第２実施形態）
本発明の第２実施形態であるコンテンツ利用管理システムについて説明する。図５は、本発明の第２実施形態であるコンテンツ利用管理システム５０の構成を示す図である。コンテンツ利用管理システム５０は、携帯電話機６０（第１の情報通信端末）及び携帯電話機７０（第２の情報通信端末）のそれぞれとネットワーク（図示しない）を介して情報通信可能なように接続されている。また、携帯電話機６０及び携帯電話機７０は、ネットワーク（図示しない）を介して相互に情報通信可能なように構成されている。
【００２７】
携帯電話機６０は第１のユーザが使用し、携帯電話機７０は第２のユーザが使用する携帯電話機であり、音声通話と共に情報通信も可能なように構成されている。携帯電話機６０及び携帯電話機７０は、物理的には、ＣＰＵ（中央処理装置）、メモリといった記憶装置、プッシュボタンといった入力装置、ディスプレイといった表示装置、通信装置等を有している。携帯電話機６０及び携帯電話機７０では、音楽や画像といった種々のコンテンツが利用可能なように構成されている。このコンテンツは、ネットワーク（図示しない）を介して取得する暗号化されたコンテンツであって、対応する権利情報を用いて復号することで携帯電話機６０及び携帯電話機７０において利用可能となる。
【００２８】
この権利情報は、コンテンツ利用管理システム５０から送信される場合もあり、
他の手段を用いて入手することも可能である。また、携帯電話機６０及び携帯電話機７０は、コンテンツ利用管理システム５０から利用停止情報が送信されると、コンテンツの利用を停止して権利情報を抹消する。携帯電話機６０及び携帯電話機７０は、コンテンツの利用の停止及び権利情報の抹消を完了すると、その旨を示す停止完了通知をコンテンツ利用管理システム５０に送信する。
【００２９】
次に、コンテンツ利用管理システム５０について説明する。コンテンツ利用管理システム１０は、物理的には、ＣＰＵ（中央処理装置）、メモリ、キーボードといった入力装置、ディスプレイといった表示装置、ハードディスクといった格納装置、モデムといった通信装置などを備えたコンピュータシステムとして構成されている。コンテンツ利用管理システム５０は機能的な構成要素として、譲渡受け付け部５０１（譲渡受け付け手段）と、停止情報発行部５０２（第１発行手段）と、停止情報送信部５０３（第１送信手段）と、完了情報受信部５０４（受信手段）と、権利情報発行部５０５（第２発行手段）と、権利情報送信部５０６（第２送信手段）と、ユーザ情報格納部５５０とを備えている。引き続いて、コンテンツ利用管理システム５０の各構成要素について詳細に説明する。
【００３０】
譲渡受け付け部５０１は、第１のユーザが利用可能であるコンテンツを第２のユーザに譲渡する譲渡指示情報を受け付ける部分である。本実施形態の場合は、携帯電話機６０から送信される譲渡指示情報をネットワークを介して受信することで受け付けを行う。譲渡指示情報を受け付ける方法はこれに限られるものではなく、携帯電話機６０とは異なるパーソナルコンピュータといった情報通信機器から送信される譲渡指示情報を受信することで行ってもよく、第１のユーザがコンテンツ提供者へ電話をして譲渡指示の意向を伝達し、コンテンツ提供者のオペレータが譲渡指示情報を入力してもよい。
【００３１】
譲渡受け付け部５０１は譲渡指示情報を停止情報発行部５０２及び権利情報発行部５０５へ出力する。また、譲渡受け付け部５０１は、譲渡指示情報に基づいてユーザ情報格納部５５０に格納されている情報を更新する。ここで、ユーザ情報格納部５５０に格納されている情報の例について図６（ａ）を用いて説明する。図６（ａ）に示す例に拠れば、ユーザ情報格納部５５０には、「ユーザ識別子」「コンテンツ識別子」が関連付けられて格納されている。「ユーザ識別子」は対応するコンテンツの利用が許諾されているユーザを特定する情報であり、そのユーザが使用する携帯電話機を特定する情報でもある。「コンテンツ識別子」は利用が許諾されているコンテンツを特定する情報である。例えば、「ユーザ識別子」が「０９０１２３４５６７８」であって「コンテンツ識別子」が「ＬＨＤ１２３４５」であるコンテンツを、「ユーザ識別子」が「０８０９８７６５４３２」であるユーザへ譲渡する旨の譲渡指示情報を受け取ると、図６（ｂ）に示すように、譲渡受け付け部５０１は該当する情報の「ユーザ識別子」を「０８０９８７６５４３２」に書き換える。
【００３２】
停止情報発行部５０２は、譲渡指示情報の受け付けに応じて、第１のユーザが使用する携帯電話機６０においてコンテンツの利用を停止させるための利用停止情報を発行する部分である。この利用停止情報の構成の一例を図７に示す。図７に示す例に拠れば、利用停止情報は、制御フラグ「ＥＲＡ」と、コンテンツ識別子「ＬＨＤ１２３４５」と、要求ＩＤ「１２４４５６６」とを含む。「制御フラグ」は、発行される情報の内容を示すものであり、「ＥＲＡ」はこの情報が利用停止情報であることを示している。「要求ＩＤ」は、コンテンツ利用管理システム５０が送信した利用停止情報とそれに対応して携帯電話機６０から送信される停止完了通知との識別を容易にするための情報であって、利用停止情報ごとに定められているユニークな情報である。停止情報発行部５０２は発行した利用停止情報を停止情報送信部５０３に出力する。
【００３３】
停止情報送信部５０３は、停止情報発行部５０２が発行した利用停止情報を携帯電話機６０に送信し、完了情報受信部５０４に出力する部分である。より具体的には、停止情報送信部５０３は利用停止情報に含まれる「ユーザ識別子」に基づいて利用停止情報の送信先が携帯電話機６０であることを特定し、その特定した携帯電話機６０に利用停止情報を送信し、完了情報受信部５０４に出力する。
【００３４】
完了情報受信部５０４は、停止情報送信部５０３の利用停止情報の送信に応じて携帯電話機６０から送信される、コンテンツの利用停止処理が完了したことを示す停止完了通知を受信する部分である。停止情報送信部５０３から携帯電話機６０に利用停止情報が送信されると、携帯電話機６０では権利情報を抹消してコンテンツの利用を停止する。この利用停止の処理が完了すると、携帯電話機６０は停止完了通知をコンテンツ利用管理システム５０に送信する。完了情報受信部５０４はこの停止完了通知を受信し、受信した停止完了通知と、停止情報送信部５０３から出力される利用停止情報とを照合する。「要求ＩＤ」が合致し、停止完了通知が利用停止情報に対応したものであることが確認されると、完了情報受信部５０４は「ユーザ識別子」と「コンテンツ識別子」とを停止確認情報として、権利情報発行部５０５に出力する。
【００３５】
図８（ａ）は、停止完了通知の情報の一例を示す図である。図８（ａ）に示すように、停止完了通知は、「制御フラグ」と、「要求ＩＤ」とを含む。この「制御フラグ」「ＡＣＫ」は、この情報がコンテンツの停止完了通知であることを示している。また「要求ＩＤ」は、第１の情報通信端末携帯電話機６０が受信した利用停止情報の要求ＩＤに対応する。図８（ｂ）は、停止確認情報の一例を示す図である。図８（ｂ）に示すように、停止確認情報は、「ユーザ識別子」と、「コンテンツ識別子」とを含む。
【００３６】
権利情報発行部５０５は、譲渡受け付け部５０１が受け付けた譲渡指示情報に基づいて、携帯電話機７０においてコンテンツを利用する際に用いられる権利情報を発行する部分である。より具体的には、権利情報発行部５０５は、完了情報受信部５０４から出力された停止確認情報に含まれる「ユーザ識別子」と「コンテンツ識別子」とから、対応する譲渡指示情報を特定する。権利情報発行部５０５は、特定した譲渡指示情報から携帯電話機７０に対応した「ユーザ識別子」を取得し、取得した「ユーザ識別子」と停止確認情報の「コンテンツ識別子」とに基づいて、ユーザ情報格納部５５０に格納されている情報のなから、対応する情報を特定する。権利情報発行部５０５は、特定した「コンテンツ識別子」に基づいて権利情報を作成する。図９は、権利情報の一例を示す図である。図９に示すように、権利情報は、「制御フラグ」「ＲＥＬ」と、「コンテンツ識別子」「ＬＨＤ１２３４５」とを含む。この場合の制御フラグ「ＲＥＬ」は、この情報が権利情報であることを示している。権利情報発行部５０５は、作成した権利情報と、対応する「ユーザ識別子」とを権利情報送信部５０６に出力する。
【００３７】
権利情報送信部５０６は、権利情報発行部５０５が発行した権利情報を携帯電話機７０に送信する部分である。上述のように、完了情報受信部５０４が携帯電話機６０から停止完了通知を受信すると、停止確認情報は権利情報発行部５０５に出力される。権利情報発行部５０５はその停止確認情報に基づいて、携帯電話機７０で利用可能な権利情報を作成し、携帯電話機７０を特定する情報と共に権利情報送信部５０６に出力する。そして権利情報送信部５０６は、携帯電話機７０を特定する情報である「ユーザ識別子」に基づいて携帯電話機７０を特定し、携帯電話機７０に権利情報を送信する。
【００３８】
続いて、コンテンツ利用管理システム５０の動作について説明する。図１０は、コンテンツ利用管理システム５０の動作のシーケンスを示す図である。コンテンツを譲渡しようとするユーザが使用する携帯電話機６０から譲渡指示情報が送信される（ステップＳ２０）。この送信された譲渡指示情報はコンテンツ利用管理システム５０の譲渡受け付け部５０１が受信して受け付ける。譲渡受け付け部５０１は受信した譲渡指示情報に基づいてユーザ情報格納部５５０に格納されているユーザ情報を図６（ｂ）に示すように更新する（ステップＳ２１）。譲渡受け付け部５０１はまた、譲渡指示情報を停止情報発行部５０２と権利情報発行部５０５に出力する（ステップＳ２２）。
【００３９】
停止情報発行部５０２は、譲渡指示情報に基づいて利用停止情報を発行し、停止情報送信部５０３に出力する（ステップＳ２３）。停止情報送信部５０３は利用停止情報を携帯電話機６０に送信する（ステップＳ２４）。
【００４０】
停止情報送信部５０３から携帯電話機６０に利用停止情報が送信されると、携帯電話機６０では権利情報を抹消してコンテンツの利用を停止する（ステップＳ２５）。この利用停止の処理が完了すると、携帯電話機６０は停止完了通知をコンテンツ利用管理システム５０に送信する（ステップＳ２６）。コンテンツ利用管理システム５０の完了情報受信部５０４が停止完了通知を受信し、停止確認情報を権利情報発行部５０５に出力する（ステップＳ２７）。
【００４１】
権利情報発行部５０５は、携帯電話機７０で利用可能な権利情報を発行する（ステップＳ２８）。権利情報発行部５０５は、発行した権利情報を権利情報送信部５０６に出力する（ステップＳ２９）。権利情報送信部５０６は、権利情報発行部５０５が発行した権利情報を携帯電話機７０に送信する（ステップＳ３０）。携帯電話機７０において、コンテンツは、ネットワークを介してコンテンツ提供者から取得される。権利情報が送信された携帯電話機７０ではコンテンツを復号し、コンテンツの利用が可能となる（ステップＳ３１）。
【００４２】
本実施形態によれば、コンテンツの譲渡を受け付けると、コンテンツの利用を停止させる利用停止情報が携帯電話機６０へ送信されるので、携帯電話機６０でのコンテンツの利用が停止される。コンテンツの利用が停止された携帯電話機６０から送信される停止完了通知を受信するので、携帯電話機６０上でのコンテンツの利用ができなくなったことを確認することができる。停止完了通知の受信に応じて携帯電話機７０に権利情報を送信するので、携帯電話機６０でのコンテンツの利用が停止された後から携帯電話機７０上でコンテンツの利用が可能となる。
【００４３】
【発明の効果】
本発明によれば、所定期間の間有効となるように設定されている権利情報が第１の情報通信端末に送信されるので、第１の情報通信端末において権利情報に設定された所定期間の間コンテンツの利用が可能となる。コンテンツの譲渡を受け付けると、送信停止情報が送信手段に出力されるので、第１の情報通信端末への権利情報の送信が停止される。権利情報の送信が停止されると、第１の情報通信端末におけるコンテンツの利用は、最後に送信された権利情報に設定されている所定期間の経過を以って停止される。この経過の検知に応じて第２の情報通信通信端末へ権利情報が送信されるので、第２の情報通信通信端末におけるコンテンツの利用は、第１の情報通信端末でのコンテンツの利用が停止された後から可能となる。従って本発明の目的とする、コンテンツの二重利用を防止した上で電気通信回線を介したコンテンツの流通を可能とするコンテンツ利用管理システムを提供することができた。
【図面の簡単な説明】
【図１】本発明の第１実施形態であるコンテンツ利用管理システムの構成を示す図である。
【図２】図１のユーザ情報格納部に格納されている情報の例を示す図である。
【図３】図１の発行部から発行される権利情報の例を示す図である。
【図４】本発明の第１実施形態であるコンテンツ利用管理システムの処理のシーケンスを示す図である。
【図５】本発明の第２実施形態であるコンテンツ利用管理システムの構成を示す図である。
【図６】図５のユーザ情報格納部に格納されている情報の例を示す図である。
【図７】図５の停止情報発行部が発行する情報の例を示す図である。
【図８】図５の完了情報受信部が受信する情報の例を示す図である。
【図９】図５の権利情報発行部が発行する情報の例を示す図である。
【図１０】本発明の第２実施形態であるコンテンツ利用管理システムの処理のシーケンスを示す図である。
【符号の説明】
１０・・・コンテンツ利用管理システム、２０，６０・・・携帯電話機、３０，７０・・・携帯電話機、１０１・・・発行部、１０２・・・送信部、１０３，５０１・・・譲渡受け付け部、１０４・・・停止部、１０５・・・検知部、１５０，５５０・・・ユーザ情報格納部、５０２・・・停止情報発行部、５０３・・・停止情報送信部、５０４・・・完了情報受信部、５０５・・・権利情報発行部、５０６・・・権利情報送信部。
【図１】
2005018162.tif 000003
【図２】
2005018162.tif 000004
【図３】
2005018162.tif 000005
【図４】
2005018162.tif 000006
【図５】
2005018162.tif 000007
【図６】
2005018162.tif 000008
【図７】
2005018162.tif 000009
【図８】
2005018162.tif 000010
【図９】
2005018162.tif 000011
【図１０】
2005018162.tif 000012